(57)【要約】【課題】  モニタの省電力化を更に徹底した住宅情報盤及び情報機器を提供する。【解決手段】  カメラ５１を有するドアホン４０からの呼び出しがあった時に、カメラ５１からの映像信号を表示するモニタ４９を備えた住宅情報盤４０において、住宅情報盤４０の周囲に人がいるかどうかを検知する人感センサ４７と、ドアホン４０からの呼び出しがあった時に、人感センサ４７が検知信号を出力していない場合には、モニタ４９を点灯させないように制御する制御部４４とを備えたものである。【選択図】    図２
2006279224.tif 000002
【特許請求の範囲】
【請求項１】
カメラを有する玄関機からの呼び出しがあった時に、該カメラからの映像信号を表示するモニタを備えた住宅情報盤において、
前記住宅情報盤の周囲に人がいるかどうかを検知する人感センサと、
前記玄関機からの呼び出しがあった時に、前記人感センサが検知信号を出力していない場合には、前記モニタを点灯させないように制御する制御部と
を備えたことを特徴とする住宅情報盤。
【請求項２】
カメラを有する玄関機からの呼び出しがあった時に、該カメラからの映像信号を表示するモニタを備えた住宅情報盤において、
外出時に操作され、住戸内を監視モードに設定する防犯用のスイッチと、
前記玄関機からの呼び出しがあった時に、前記防犯用のスイッチがオンになっている場合には、前記モニタを点灯させないように制御する制御部と
を備えたことを特徴とする住宅情報盤。
【請求項３】
信号線を介して接続された機器から信号を受信した時に、モニタを点灯し又は文字表示して信号受信の旨を表示する情報機器において、
前記情報機器の周囲に人がいるかどうかを検知する人感センサと、
前記信号を受信した時に、前記人感センサが検知信号を出力していない場合には、モニタを点灯させないように制御する制御部と
を備えたことを特徴とする情報機器。
【発明の詳細な説明】
【技術分野】
【０００１】
本発明は、住宅情報盤及び情報機器に関し、特にそのモニタの省電力化に関する。
【背景技術】
【０００２】
マンションなどの集合住宅において、集合玄関には集合玄関機が設けられ、住戸の玄関には玄関子機（ドアホン）が設けられている。これらの玄関機（集合玄関機・玄関子機）はカメラを内蔵しており、呼び出し時には、訪問者の映像が住戸内に設置された住宅情報盤のモニタに表示されるようになっている（例えば特許文献１）。この住宅情報盤のモニタは、通常時は点灯しておらず、玄関機からの呼び出し等必要時に点灯して、映像や文字情報等を表示するようになっている。このように、通常時はモニタを消灯させておくことにより、モニタの消費電力の低減を図っている。
【特許文献１】特開平１０−１５０４９９号公報
【発明の開示】
【発明が解決しようとする課題】
【０００３】
しかし、呼び出し時等においては、住宅情報盤側でモニタの確認をする人がいようといまいと、一律にモニタを起動して点灯させており、モニタの省電力化が十分とはいえなかった。また、このことは、ネットワーク等を介して接続された機器から信号を受信した時に、モニタを点灯し又は文字表示して信号受信の旨を表示する情報機器においても同様であり、モニタの省電力化が十分とはいえないという課題を抱えていた。
【０００４】
本発明は、このような問題点を解決するためになされたものであり、モニタの省電力化を更に徹底した住宅情報盤及び情報機器を提供することを目的とする。
【課題を解決するための手段】
【０００５】
本発明に係る住宅情報盤は、カメラを有する玄関機からの呼び出しがあった時に、該カメラからの映像信号を表示するモニタを備えた住宅情報盤において、前記住宅情報盤の周囲に人がいるかどうかを検知する人感センサと、前記玄関機からの呼び出しがあった時に、前記人感センサが検知信号を出力していない場合には、前記モニタを点灯させないように制御する制御部とを備えたものである。
また、本発明に係る住宅情報盤は、カメラを有する玄関機からの呼び出しがあった時に、該カメラからの映像信号を表示するモニタを備えた住宅情報盤において、外出時に操作され、住戸内を監視モードに設定する防犯用のスイッチと、前記玄関機からの呼び出しがあった時に、前記防犯用のスイッチがオンになっている場合には、前記モニタを点灯させないように制御する制御部とを備えたものである。
また、本発明に係る情報機器は、信号線を介して接続された機器から信号を受信した時に、モニタを点灯し又は文字表示して信号受信の旨を表示する情報機器において、前記情報機器の周囲に人がいるかどうかを検知する人感センサと、前記信号を受信した時に、前記人感センサが検知信号を出力していない場合には、モニタを点灯させないように制御する制御部とを備えたものである。
【発明の効果】
【０００６】
本発明においては、玄関機からの呼び出しがあった時（又は上記の機器から信号を受信した時）には人感センサが住宅情報盤（又は情報機器）の周囲に人がいる場合にモニタを起動して映像を表示させ又は点灯させる等の処理を行うようにしているが、住宅情報盤（又は情報機器）の周囲に人がいない場合にはモニタを起動して点灯してもそれを見る人がいないので、点灯しない状態（消灯状態）にしており、それによってモニタの省電力化が図られ、更に、それに伴ってモニタの長寿命化も可能になっている。また、防犯用のスイッチがオンになっているときも同様にして処理されることで、モニタの省電力化及び長寿命化が可能になっている。
【発明を実施するための最良の形態】
【０００７】
図１は本発明の実施形態に係るインターホンシステムの構成を示すブロック図であり、図２はその住宅情報盤の詳細を示したブロック図である。図１のインターホンシステムは、集合玄関機１０、管理人室親機２０、通話制御装置３０及び住宅情報盤４０から構成さされている。そして、集合玄関機１０、管理人室親機２０及び住宅情報盤４０は、通話制御装置３０を介して相互に通話が可能になっている。集合玄関機１０にはカメラ１１が内蔵されており、訪問者を撮影してその映像信号を通話制御装置３０を介して訪問先の住宅情報盤４０に送信する。住宅情報盤４０にはドアホン５０が接続されており、ドアホン５０にはカメラ５１が内蔵されている。住宅情報盤４０は住戸内に取り付けられ、ドアホン５０は住戸の玄関等の外側に取り付けられ、ドアホン５０のカメラ５１は訪問者を撮影するとその映像信号を住宅情報盤４０に出力する。なお、図１において、各機器が通話線Ｔで接続されている状態を示したが、各機器は通話線Ｔだけでなく、映像信号線や伝送用の制御線にも、通話線Ｔと同様に接続されている。
【０００８】
図２の住宅情報盤４０は、通話部４１、映像信号受信部４２、呼出検出部４３、制御部４４、警報部４５、操作部４６、人感センサ４７、起動回路（点灯回路）４８及びモニタ４９を備えている。なお、人感センサ４７は、赤外線などを利用して周囲温度と温度差のあるものが検知エリア内で動いたときにその温度変化を検知する仕組みになっており、人間の動きを検知し、人や物などが感知エリアの中で動いたときにその動きを検知して検知信号を送るセンサのことをいう。この人感センサ４７は、住宅情報盤４０の周囲に人がいるかどうかを検知できるような位置に取り付けられており、住宅情報盤４０内に内蔵させてもよい。
【０００９】
図２の住宅情報盤４０において、例えばドアホン５０の呼出釦（図示せず）が操作されると、呼出検出部４３はその呼び出しを検出して制御部４４に出力し、制御部４４は警報部４５を駆動して、例えば訪問者が来ていることを知らせるために警報部４５から呼び出し音（例えばチャイム音）を出力させる。これにより、居住者は室内にいるときには訪問者が玄関に来ていることを認識することができる。このとき、ドアホン５０ではカメラ５１が訪問者を撮像してその映像信号を住宅情報盤４０に送信する。制御部４４は、呼出検出部４３がその呼び出しを検出した段階で、映像信号受信部４２にその映像信号を取り込んで制御部４４に出力させる。このとき、制御部４４は人感センサ４７が検知信号を出力しているかどうかを判断し、出力していない場合には起動回路４８を駆動せずにそのままの状態にする。すなわち、カメラ５１からの映像信号を受信しているにも拘わらず、モニタ４９を点灯しないで（消灯状態を維持する）、映像信号をモニタ４９に表示しないように制御する。住宅情報盤４０の近傍に居住者がいない場合にはモニタ４９に映像を表示しても意味がないので、このようにモニタ４９を点灯しないで省電力化を図っている。なお、住宅情報盤４０の近傍に居住者がいて、人感センサ４７からの検知信号が入力されている場合には、制御部４４は起動回路４８を駆動し、起動回路４８がモニタ４９を起動させて映像信号に基づいた映像を表示させる。そして、居住者が、モニタ４９に表示された訪問者を確認した上で当該訪問者と通話をしたい場合には、例えばハンドセット等から構成される通話部４１を取り上げることによりドアホン５０との回線が接続されて通話を行うことができる状態になる。
【００１０】
また、集合玄関機１０から通話制御装置３０及び図示しない制御線を介して住宅情報盤４０に呼び出しを行い、集合玄関機１０のカメラ１１から通話制御装置３０及び図示しない制御線を介して住宅情報盤４０に映像信号が送信されてきた場合においても同様に処理され、人感センサ４７からの検知信号が入力されている場合には、制御部４４は起動回路４８を駆動し、起動回路４８がモニタ４９を起動させて映像信号に基づいた映像を表示させるが、人感センサ４７からの検知信号が入力されていない場合には、モニタ４９を点灯しないで（消灯状態を維持する）、映像信号をモニタ４９に表示しない。
【００１１】
また、管理人室親機２０は、通話制御装置３０及び通話線Ｔを介して住宅情報盤４０を呼び出すときには、警報部４５を駆動して呼び出し音を鳴動させるとともに、モニタ４９を点灯させたり或いは文字情報を表示させて管理人室親機２０からの呼び出しであることを居住者に伝えることがあるが、そのような場合においても、制御部４４は  人感センサ４７が検知信号を出力している場合には、制御部４４は起動回路（点灯回路）４８を駆動し、モニタ４９を点灯させたり或いは文字情報を表示させるが、人感センサ４７が検知信号が出力していない場合には、モニタ４９を点灯させないように制御する。
【００１２】
なお、上記の実施形態はインターホンシステムの例であるが、例えばパソコン等の情報機器においても同様に適用される。その場合には、例えばネットワークに接続された他の機器から所定の信号を受信した時に、モニタを点灯し又は文字表示して信号受信の旨を表示する情報機器において、前記の他の機器から所定の信号を受信した時に、人感センサが検知信号を出力していない場合（即ち情報機器の周辺に人がいない場合）には、モニタを点灯させないようにし、人感センサが検知信号を出力している場合にはモニタを点灯し又は文字表示して信号受信の旨を表示する。
【００１３】
ところで住宅情報盤４０には、通常、防犯用のスイッチが設けられている。このスイッチは、外出時などに操作されると、住戸内を監視モードにして泥棒などに備えるものである。そこでこの防犯用のスイッチを人感センサ４７の代わりとして利用するようにしてもよい。つまり、この防犯用のスイッチがオンになっている時は、居住者は外出中であり、住戸内にはいないので、モニタを点灯させる必要はない。よって、制御部４４は、玄関機からの呼出があった時に、防犯用のスイッチがオンになっている場合には、モニタ４９を点灯させないように制御するようにしてもよい。なお、この防犯用のスイッチがオンになっている時は、人感センサ４７の電源を切るように省電力につとめるようにしてもよい。但し、この場合には、防犯用の人感センサは監視モードのため電源は供給されている。
【図面の簡単な説明】
【００１４】
【図１】本発明の実施形態に係るインターホンシステムの構成を示すブロック図である。
【図２】図１の住宅情報盤の詳細を示したブロック図である。
【符号の説明】
【００１５】
１０ 集合玄関機、１１ カメラ、２０ 管理人室親機、３０ 通話制御装置、４０ 住宅情報盤、４１ 通話部、４２ 映像信号受信部、４３ 呼出検出部、４４ 制御部、４５ 警報部、４６ 操作部、４７ 人感センサ、４８ 起動回路（点灯回路）、４９ モニタ、５０ ドアホン、５１ カメラ。
【図１】
2006279224.tif 000003
【図２】
2006279224.tif 000004